(57)【特許請求の範囲】
【請求項１】
駐車場に関連する駐車場装置と、端末装置とを備えた情報システムであって、
前記駐車場装置は、
前記駐車場に入場した移動体を識別する移動体識別子を取得する移動体識別子取得部と、
前記移動体識別子取得部が取得した前記移動体識別子に対応する前記端末装置に、前記駐車場に入場した時の時刻に関する入場時刻情報を送信する駐車情報送信部とを具備し、
前記端末装置は、
前記駐車場装置から送信された前記入場時刻情報を受信する受信部と、
前記入場時刻情報を用いて、前記駐車場の利用状況に関する利用状況情報を取得する利用状況情報取得部と、
前記駐車場の利用料金に関する料金情報と前記利用状況情報を格納し得る格納部と、
前記利用状況情報を出力する出力部とを具備し、
前記駐車場装置は、
前記移動体識別子取得部が、前記移動体の前記駐車場への入場及び前記移動体の前記駐車場からの出場を認識し、
前記端末装置において前記駐車場の利用が終了したことを示し、かつ前記格納部から前記利用状況情報を削除させる削除情報を送信することを特徴とする情報システム。
【請求項２】
前記端末装置は、
ユーザからの警告条件を受け付ける受付部と、
前記利用状況情報取得部が取得した前記利用状況情報が前記警告条件に合致するか否かを判断する判断部とを更に備え、
前記格納部は、前記警告条件を格納しており、
前記利用状況情報は、料金が上昇する時刻に関する料金上昇時刻情報であり、
前記警告条件は、前記ユーザが設定した上限金額を超える所定時間前であり、
前記利用状況情報取得部は、前記入場時刻情報と前記料金情報とを用いて、前記料金上昇時刻情報を取得し、
前記出力部は、前記警告条件に基づいて、前記料金上昇時刻情報を出力する請求項１記載の情報システム。
【請求項３】
前記端末装置では、
前記利用状況情報取得部は、前記料金情報と前記入場時刻情報とを用いて、料金が上昇する時刻までの残り時間である前記料金上昇時刻情報を取得する請求項２記載の情報システム。
【請求項４】
前記端末装置では、
前記料金情報は、利用時間と料金とを有し、
前記利用状況情報取得部は、
現在時刻を取得する現在時刻取得手段と、
前記現在時刻と前記入場時刻情報との差である現利用時間情報を取得する現利用時間情報取得手段と、
前記現利用時間情報と前記料金情報とを用いて、前記利用状況情報を取得する利用状況情報取得手段とを具備する請求項１から請求項３いずれか一項に記載の情報システム。
【請求項５】
前記駐車場装置では、
前記移動体識別子取得部は、前記移動体のナンバープレートを撮影し、画像認識することにより前記移動体識別子を取得、若しくは無線通信手段により前記移動体に設置された装置から前記移動体識別子を取得する請求項１から請求項４の何れか１項に記載の情報システム。
【請求項６】
前記移動体識別子は、ナンバープレートの番号、若しくはクレジットカード番号である請求項１から請求項５の何れか１項に記載の情報システム。
【発明の詳細な説明】
【技術分野】
【０００１】
本発明は、駐車場の利用状況に関する情報を出力する端末装置等を備えた情報システムに関するものである。
【背景技術】
【０００２】
従来、駐車場の料金を算出し、精算する種々の駐車料金精算装置があった（例えば、特許文献１参照）。
【先行技術文献】
【特許文献】
【０００３】
【特許文献１】特開２００７−２６００４号公報（第１頁、第１図等）
【発明の概要】
【発明が解決しようとする課題】
【０００４】
しかしながら、従来技術においては、駐車場に移動体を駐車した後、駐車場から離れた場所において、ユーザが駐車場の利用状況を知ることができなかった。
【課題を解決するための手段】
【０００５】
本第一の開示の端末装置は、駐車場に関連する装置である駐車場装置から送信された情報であり、駐車場に入場した時の時刻に関する情報である入場時刻情報を受信する受信部と、入場時刻情報を用いて、駐車場の利用状況に関する利用状況情報を取得する利用状況情報取得部と、利用状況情報を出力する出力部とを具備する端末装置である。
【０００６】
かかる構成により、駐車場に移動体を駐車した後、駐車場から離れた場所において、ユーザが駐車場の利用状況を知ることができる。
【０００７】
また、本第二の開示の端末装置は、第一の開示に対して、駐車場の利用料金に関する情報である料金情報を格納し得る格納部をさらに具備し、利用状況情報取得部は、入場時刻情報と料金情報とを用いて、料金が上昇する時刻に関する情報である料金上昇時刻情報を取得し、出力部は、料金上昇時刻情報を出力する端末装置である。
【０００８】
かかる構成により、駐車場に移動体を駐車した後、駐車場から離れた場所において、駐車場の利用料金がアップする時刻を、ユーザは知ることができる。
【０００９】
また、本第三の開示の端末装置は、第二の開示に対して、利用状況情報取得部は、料金情報と入場時刻情報とを用いて、料金が上昇する時刻までの残り時間である料金上昇時刻情報を取得する端末装置である。
【００１０】
かかる構成により、駐車場に移動体を駐車した後、駐車場から離れた場所において、駐車場の利用料金がアップするまでの残り時間を、ユーザは知ることができる。
【００１１】
また、本第四の開示の端末装置は、第一から第三いずれか１つの開示に対して、料金情報は、利用時間と料金とを有し、利用状況情報取得部は、現在時刻を取得する現在時刻取得手段と、現在時刻と時刻情報との差である現利用時間情報を取得する現利用時間情報取得手段と、現利用時間情報と料金情報とを用いて、利用状況情報を取得する利用状況情報取得手段とを具備する端末装置である。
【００１２】
かかる構成により、駐車場に移動体を駐車した後、駐車場から離れた場所において、ユーザが駐車場の利用状況を知ることができる。
【００１３】
また、本第五の開示のサーバ装置は、駐車場に入場した移動体を識別する移動体識別子と端末装置への通知先を示す通知先情報とを有する２以上のユーザ情報を格納し得るユーザ情報格納部と、移動体識別子と駐車場に入場した時の時刻に関する入場時刻情報とを受信するサーバ受信部と、入場時刻情報を用いて、駐車場の利用状況に関する利用状況情報を取得する利用状況情報取得部と、サーバ受信部が受信した移動体識別子に対応する通知先情報をユーザ情報格納部から取得する通知先情報取得部と、通知先情報取得部が取得した通知先情報に対応する端末装置に、利用状況情報を送信するサーバ送信部とを具備するサーバ装置である。
【００１４】
かかる構成により、駐車場に移動体を駐車した後、駐車場から離れた場所において、ユーザが駐車場の利用状況を知ることができる。
【００１５】
また、本第六の開示のサーバ装置は、第五の開示に対して、駐車場の利用の料金に関する情報である料金情報を格納し得る料金情報格納部をさらに具備し、利用状況情報取得部は、料金情報を用いて、料金が上昇する時刻に関する情報である料金上昇時刻情報を取得し、サーバ送信部は、料金上昇時刻情報を端末装置に送信するサーバ装置である。
【００１６】
かかる構成により、駐車場に移動体を駐車した後、駐車場から離れた場所において、駐車場の利用料金がアップする時刻を、ユーザは知ることができる。
【００１７】
また、本第七の開示のサーバ装置は、第六の開示に対して、利用状況情報取得部は、料金情報と入場時刻情報とを用いて、料金が上昇する時刻までの残り時間である料金上昇時刻情報を取得するサーバ装置である。
【００１８】
かかる構成により、駐車場に移動体を駐車した後、駐車場から離れた場所において、駐車場の利用料金がアップするまでの残り時間を、ユーザは知ることができる。
【００１９】
また、本第八の開示のサーバ装置は、第五から第七いずれか１つの開示に対して、料金情報は、利用時間と料金とを有し、利用状況情報取得部は、現在時刻を取得する現在時刻取得手段と、現在時刻と時刻情報との差である現利用時間情報を取得する現利用時間情報取得手段と、現利用時間情報と料金情報とを用いて、利用状況情報を取得する利用状況情報取得手段とを具備するサーバ装置である。
【００２０】
かかる構成により、駐車場に移動体を駐車した後、駐車場から離れた場所において、ユーザが駐車場の利用状況を知ることができる。
【００２１】
また、本第九の開示の端末装置は、第五から第八いずれかの開示に対して、サーバ装置から利用状況情報を受信し、出力する端末装置である。
【００２２】
かかる構成により、駐車場に移動体を駐車した後、駐車場から離れた場所において、ユーザが駐車場の利用状況を知ることができる。
【発明の効果】
【００２３】
本発明による端末装置を備えた情報システムによれば、駐車場に移動体を駐車した後、駐車場から離れた場所において、ユーザが駐車場の利用状況を知ることができる。
【図面の簡単な説明】
【００２４】
【図１】実施の形態１における端末装置１のブロック図
【図２】同端末装置１の動作について説明するフローチャート
【図３】同利用状況情報取得処理について説明するフローチャート
【図４】同料金情報を示す図
【図５】同出力例を示す図
【図６】実施の形態２における情報システム２の概念図
【図７】同情報システム２のブロック図
【図８】同駐車場装置２０の動作について説明するフローチャート
【図９】同サーバ装置２１の動作について説明するフローチャート
【図１０】同端末装置２２の動作について説明するフローチャート
【図１１】同ユーザ情報管理表を示す図
【図１２】上記実施の形態におけるコンピュータシステムの概観図
【図１３】同コンピュータシステムのブロック図
【発明を実施するための形態】
【００２５】
以下、端末装置等の実施形態について図面を参照して説明する。なお、実施の形態において同じ符号を付した構成要素は同様の動作を行うので、再度の説明を省略する場合がある。
【００２６】
（実施の形態１）
本実施の形態において、駐車場装置から駐車場入庫時の時刻情報を受信し、駐車場の利用状況に関する情報を出力する端末装置について説明する。
【００２７】
また、本実施の形態において、料金に関する情報を用いて、料金がアップする時刻に関する情報や料金アップまでの残り時間の情報等を出力する端末装置について説明する。
【００２８】
なお、端末装置は、通常、携帯可能な端末であり、例えば、いわゆるスマートフォン、携帯電話、タブレット端末、ノートブックパソコン等である。
【００２９】
図１は、本実施の形態における端末装置１のブロック図である。
【００３０】
端末装置１は、格納部１０、受付部１１、受信部１２、処理部１３、および出力部１４を備える。
【００３１】
処理部１３は、利用状況情報取得部１３１、判断部１３２を備える。利用状況情報取得部１３１は、現在時刻取得手段１３１１、現利用時間情報取得手段１３１２、および利用状況情報取得手段１３１３を備える。
【００３２】
格納部１０は、種々の情報を格納し得る。種々の情報は、例えば、移動体が利用する駐車場の利用料金に関する情報である料金情報である。料金情報は、駐車時間と料金の対応表でも良いし、料金算出のための演算式等でも良い。料金情報は、例えば、利用時間と料金との組の情報を、２組以上を有しても良い。料金情報は、例えば、基本の利用時間とその料金、および延長の単位時間と当該単位時間あたりの増加料金等でも良い。料金情報の内容、形式等は問わない。料金情報は、駐車料金を算出する元になる情報であれば何でも良い。
【００３３】
また、種々の情報は、例えば、警告条件である。警告条件は、警告を出力するための条件である。警告条件は、例えば、「次の料金アップの時刻の１０分前」、「設定した上限金額を超える５分前」、「設定した時刻の５分前」等である。また、種々の情報は、例えば、ユーザが設定した上限金額、ユーザが設定した時刻等である。
【００３４】
また、移動体とは、例えば、自動車、バイク、自転車、船舶、飛行機等である。
【００３５】
格納部１０は、不揮発性の記録媒体が好適であるが、揮発性の記録媒体でも実現可能である。格納部１０に情報が記憶される過程は問わない。例えば、記録媒体を介して情報が格納部１０で記憶されるようになってもよく、通信回線等を介して送信された情報が格納部１０で記憶されるようになってもよく、あるいは、入力デバイスを介して入力された情報が格納部１０で記憶されるようになってもよい。
【００３６】
受付部１１は、ユーザから指示や情報等を受け付ける。指示や情報等とは、例えば、警告条件である。
【００３７】
受信部１２は、駐車場に入庫した時刻に関する情報である入庫時刻情報を受信する。入庫時刻情報は、日時の情報（例えば、「2015/2/3  11:28」）、時刻の情報（例えば、「11:28」）などである。但し、入庫時刻情報は、時刻を示す情報でも良いし、入庫したことを示す情報等でも良い。入庫したことを示す情報である場合、入庫した時刻は端末装置１が取得する。また、入庫時刻情報は、通常、駐車場に関連する装置である駐車場装置（図示しない）から送信された情報である。また、駐車場装置とは、通常、駐車場の入口に設置されている駐車料金精算装置である。また、駐車場装置は、駐車場の入口に設置されている装置であり、駐車料金精算装置とは別の装置でも良い。また、入庫時刻情報を送信する駐車場装置は、駐車場の入口に設置されている駐車料金精算装置等から情報を受信するサーバ装置等でも良い。なお、サーバ装置は、例えば、実施の形態２のサーバ装置２１である。
【００３８】
受信部１２は、通常、無線または有線の通信手段で実現されるが、放送を受信する手段で実現されても良い。
【００３９】
処理部１３は、各種の処理を行う。各種の処理は、例えば、利用状況情報取得部１３１が行う利用状況情報取得処理である。各種の処理は、例えば、入庫時刻情報を蓄積する処理である。また、各種の処理は、例えば、入庫時刻情報が入庫したことを示す情報（トリガー）である場合、現在時刻を取得し、入庫した時刻を蓄積する処理である。なお、入庫時刻情報が入庫したことを示す情報である場合、端末装置１の時計が正確でなくても、正確な利用状況情報を取得できる。
【００４０】
利用状況情報取得部１３１は、入庫時刻情報を用いて、駐車場の利用状況に関する利用状況情報を取得する。利用状況とは、通常、利用時間、利用時刻、または料金に関する。利用状況情報とは、例えば、入庫からの経過時間、後述する料金上昇時刻情報、現在までの料金等である。
【００４１】
利用状況情報取得部１３１は、入庫時刻情報と料金情報とを用いて、料金が上昇する時刻に関する情報である料金上昇時刻情報を取得しても良い。利用状況情報取得部１３１は、料金情報と入庫時刻情報とを用いて、料金が上昇する時刻までの残り時間である料金上昇時刻情報を取得する。料金上昇時刻情報とは、料金がアップする時刻、料金がアップするまでの時間等である。
【００４２】
現在時刻取得手段１３１１は、現在時刻を取得する。現在時刻取得手段１３１１は、通常、時計を具備し、当該時計から現在時刻を取得する。ただし、現在時刻取得手段１３１１は、外部の装置から現在時刻を取得しても良い。
【００４３】
現利用時間情報取得手段１３１２は、現在時刻と入庫時刻情報との差である現利用時間情報を取得する。
【００４４】
利用状況情報取得手段１３１３は、現利用時間情報と料金情報とを用いて、利用状況情報を取得する。「現利用時間情報と料金情報とを用いて」とは、例えば、料金情報に現利用時間情報を適用することである。
【００４５】
判断部１３２は、利用状況情報取得部１３１が取得した利用状況情報の全部または一部が警告条件に合致するか否かを判断する。なお、警告条件は、格納部１０に格納されている。
【００４６】
処理部１３、利用状況情報取得部１３１、現利用時間情報取得手段１３１２、利用状況情報取得手段１３１３、および判断部１３２は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００４７】
出力部１４は、利用状況情報を出力する。利用状況情報は、例えば、料金上昇時刻情報である。つまり、料金上昇時刻情報は、利用状況情報の一例である。また、出力部１４は、警告情報を出力する。警告情報の出力は、音による出力、またはバイブによる出力が好適である。
【００４８】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００４９】
出力部１４は、ディスプレイやスピーカー等の出力デバイスを含むと考えても含まないと考えても良い。出力部１４は、出力デバイスのドライバーソフトまたは、出力デバイスのドライバーソフトと出力デバイス等で実現され得る。
【００５０】
次に、端末装置１の動作について、図２のフローチャートを用いて説明する。
【００５１】
（ステップＳ２０１）受信部１２は、入庫時刻情報を受信したか否かを判断する。入庫時刻情報を受信した場合はステップＳ２０２に行き、入庫時刻情報を受信しない場合はステップＳ２０７に行く。
【００５２】
（ステップＳ２０２）処理部１３は、ステップＳ２０１で受信された入庫時刻情報を格納部１０に蓄積する。処理部１３は、現在時刻を取得し、当該現在時刻を入庫時刻情報として、蓄積しても良いし、ステップＳ２０１で受信された入庫時刻情報を蓄積しても良い。
【００５３】
（ステップＳ２０３）利用状況情報取得部１３１は、ステップＳ２０２で蓄積された入庫時刻情報を用いて利用状況情報を取得する。利用状況情報取得処理について、図３のフローチャートを用いて説明する。
【００５４】
（ステップＳ２０４）出力部１４は、ステップＳ２０３で取得された利用状況情報を出力する。
【００５５】
（ステップＳ２０５）処理部１３は、ステップＳ２０３で取得された利用状況情報の全部または一部が警告条件に合致するか否かを判断する。警告条件に合致する場合はステップＳ２０６に行き、警告条件に合致しない場合はステップＳ２０３に戻る。
【００５６】
（ステップＳ２０６）出力部１４は、警告情報を出力する。ステップＳ２０３に戻る。なお、出力部１４は、予め格納されている警告情報を出力しても良いし、警告条件を用いて構成された警告情報を出力しても良いし、利用状況情報を用いて構成された警告情報を出力しても良い。つまり、警告情報は、ユーザに何らかの情報（例えば、もうすぐ料金がアップすること、駐車場の利用の終了時刻にもうすぐなること等）を報知するための情報であれば良い。
【００５７】
（ステップＳ２０７）受付部１１は、ユーザから警告条件を受け付けたか否かを判断する。警告条件を受け付けた場合はステップＳ２０８に行き、警告条件を受け付けない場合はステップＳ２０３に戻る。
【００５８】
（ステップＳ２０８）処理部１３は、ステップＳ２０７で受け付けられた警告条件を格納部１０に蓄積する。ステップＳ２０３に戻る。
【００５９】
なお、図２のフローチャートにおいて、電源オフや処理終了の割り込みにより処理は終了する。
【００６０】
次に、ステップＳ２０３の利用状況情報取得処理について、図３のフローチャートを用いて説明する。
【００６１】
（ステップＳ３０１）現在時刻取得手段１３１１は、現在時刻を取得する。
【００６２】
（ステップＳ３０２）現利用時間情報取得手段１３１２は、現在時刻と入庫時刻情報との差である現利用時間情報を取得する。
【００６３】
（ステップＳ３０３）利用状況情報取得手段１３１３は、現利用時間情報を料金情報に適用し、現在の料金を取得する。
【００６４】
（ステップＳ３０４）利用状況情報取得手段１３１３は、現利用時間情報と次の料金になるまでの時間とを用いて、次の料金アップまでの時間を取得する。なお、次の料金になるまでの時間は、料金情報に含まれるまたは料金情報を用いて取得できる、とする。
【００６５】
（ステップＳ３０５）利用状況情報取得手段１３１３は、現在時刻と次の料金アップまでの時間とを用いて、次の料金アップの時刻を取得する。上位処理にリターンする。
【００６６】
なお、図３のフローチャートにおいて、利用状況情報取得手段１３１３は、上記のすべての利用状況情報を取得する必要はない。
【００６７】
以下、本実施の形態における端末装置１の具体的な動作について説明する。
【００６８】
今、格納部１０は、図４に示す料金情報を格納している、とする。図４に示す料金情報は、「６０分の駐車の基本料金が５００円で、１５分延長ごとに１００円かかる」ことを示す。また、格納部１０は、警告情報の雛形「あと＜時間＞で、料金がアップします」が格納されている、とする。
【００６９】
かかる状況で、ユーザは、警告条件「料金がアップする５分前」を端末装置１に入力した、とする。
【００７０】
次に、受付部１１は、警告条件を受け付ける。そして、処理部１３は、警告条件を格納部１０に蓄積する。
【００７１】
次に、ユーザが乗った自動車が駐車場「タイムズ赤坂台２３」に入庫した、とする。すると、入庫時に通過するゲート前に設置された駐車場装置（図示しない）は、現在時刻「３：２２」を取得し、現在時刻を有する入庫時刻情報を構成する。そして、駐車場装置は、入庫時刻情報を送信する。
【００７２】
次に、受信部１２は、入庫時刻情報「３：２７：００」を受信する。そして、処理部１３は、入庫時刻情報「３：２７：００」を格納部１０に蓄積する。
【００７３】
そして、以下、時間がかなり経過した時の端末装置１の動作について、具体的に説明する。
【００７４】
次に、利用状況情報取得部１３１は、以下のように、入庫時刻情報を用いて利用状況情報を取得する。
【００７５】
まず、現在時刻取得手段１３１１は、現在時刻「４：２１：３４」を取得した、とする。
【００７６】
次に、現利用時間情報取得手段１３１２は、現在時刻「４：２１：３４」と入庫時刻情報「３：２７：００」との差である現利用時間情報「５４分２６秒」を取得する。
【００７７】
次に、利用状況情報取得手段１３１３は、現利用時間情報「５４分２６秒」を図４の料金情報に適用し、現在の料金「５００円」を取得する。
【００７８】
次に、利用状況情報取得手段１３１３は、現利用時間情報「５４分２６秒」と次の料金になるまでの時間「６０分」とを用いて、次の料金アップまでの時間「５分３４秒」を取得する。
【００７９】
次に、利用状況情報取得手段１３１３は、現在時刻と次の料金アップまでの時間とを用いて、次の料金アップの時刻「４：２７：００」を取得する。
【００８０】
次に、出力部１４は、取得された利用状況情報を出力する。かかる出力例は、図５である。なお、図５において、取得したすべての利用状況情報を出力しなくても良い。
【００８１】
次に、処理部１３は、利用状況情報の全部または一部が警告条件「料金がアップする５分前」に合致しない、と判断する。
【００８２】
そして、現在時刻が「４：２２：００」になった際に、処理部１３は、利用状況情報の全部または一部が警告条件「料金がアップする５分前」に合致する、と判断する。そして、出力部１４は、警告情報の雛形「あと＜時間＞で、料金がアップします」に警告条件を構成する情報「５分」を代入し、警告情報「あと５分で、料金がアップします」を構成する。次に、出力部１４は、警告情報「あと５分で、料金がアップします」を出力する。なお、例えば、出力部１４は、警告情報「あと５分で、料金がアップします」を音声出力したり、警告音「ブザー」を音出力したりしても良い。
【００８３】
以上、本実施の形態によれば、駐車場に移動体を駐車した後、駐車場から離れた場所において、ユーザが駐車場の利用状況を知ることができる。
【００８４】
また、本実施の形態によれば、駐車場に移動体を駐車した後、駐車場から離れた場所において、駐車場の利用料金がアップする時刻を、ユーザは知ることができる。
【００８５】
さらに、本実施の形態によれば、駐車場に移動体を駐車した後、駐車場から離れた場所において、駐車場の利用料金がアップするまでの残り時間を、ユーザは知ることができる。
【００８６】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータを、駐車場に関連する装置である駐車場装置から送信された情報であり、駐車場に入場した時の時刻に関する情報である入場時刻情報を受信する受信部と、前記入場時刻情報を用いて、駐車場の利用状況に関する利用状況情報を取得する利用状況情報取得部と、前記利用状況情報を出力する出力部として機能させるためのプログラムである。
【００８７】
上記プログラムにおいて、コンピュータがアクセス可能な記録媒体は、駐車場の利用料金に関する情報である料金情報を格納し得る格納部を具備し、前記利用状況情報取得部は、前記入場時刻情報と前記料金情報とを用いて、料金が上昇する時刻に関する情報である料金上昇時刻情報を取得し、前記出力部は、前記料金上昇時刻情報を出力するものとして、コンピュータを機能させることは好適である。
【００８８】
上記プログラムにおいて、前記利用状況情報取得部は、前記料金情報と前記入場時刻情報とを用いて、料金が上昇する時刻までの残り時間である料金上昇時刻情報を取得するものとして、コンピュータを機能させることは好適である。
【００８９】
上記プログラムにおいて、前記料金情報は、利用時間と料金とを有し、前記利用状況情報取得部は、現在時刻を取得する現在時刻取得手段と、前記現在時刻と前記時刻情報との差である現利用時間情報を取得する現利用時間情報取得手段と、前記現利用時間情報と前記料金情報とを用いて、利用状況情報を取得する利用状況情報取得手段とを具備するものとして、コンピュータを機能させることは好適である。
【００９０】
（実施の形態２）
本実施の形態において、駐車場に移動体を駐車した後、駐車場から離れた場所において、ユーザが駐車場の利用状況を、サーバ装置経由で知ることができる情報システムについて説明する。
【００９１】
なお、本実施の形態と実施の形態１との主たる相違点は、サーバ装置が存在するか否かである。
【００９２】
図６は、本実施の形態における情報システム２の概念図である。情報システム２は、駐車場装置２０、サーバ装置２１、端末装置２２を備える。駐車場装置２０は、駐車場のゲートに設置された装置であり、移動体が入庫した時刻に関する入庫時刻情報をサーバ装置２１に送信する。駐車場装置２０は、通常、移動体を識別する移動体識別子を取得し、移動体識別子と入庫時刻情報とを有するユーザ情報をサーバ装置２１に送信する。駐車場装置２０は、駐車場料金精算装置でも良い。なお、移動体とは、自動車、バイク、自転車等である。サーバ装置２１は、いわゆるクラウドサーバ等でも良く、広く解する。端末装置２２は、通常、ユーザが所持する携帯型端末であり、例えば、いわゆるスマートフォン、携帯電話、タブレット端末、ノートパソコン、携帯端末等である。
【００９３】
図７は、本実施の形態における情報システム２のブロック図である。情報システム２を構成する駐車場装置２０は、移動体識別子取得部２０１、時刻取得部２０２、および駐車情報送信部２０３を備える。
【００９４】
サーバ装置２１は、サーバ格納部２１１、サーバ受信部２１２、サーバ処理部２１３、およびサーバ送信部２１４を備える。
【００９５】
サーバ格納部２１１は、料金情報格納部２１１１、およびユーザ情報格納部２１１２を備える。
【００９６】
サーバ処理部２１３は、利用状況情報取得部１３１、判断部１３２、および通知先情報取得部２１３１を備える。
【００９７】
利用状況情報取得部１３１は、現在時刻取得手段１３１１、現利用時間情報取得手段１３１２、および利用状況情報取得手段１３１３を備える。
【００９８】
端末装置２２は、格納部２２１、受信部２２２、処理部２２３、および出力部２２４を備える。
【００９９】
駐車場装置２０を構成する移動体識別子取得部２０１は、駐車場に入庫する移動体の移動体識別子を取得する。また、移動体識別子取得部２０１は、駐車場に出庫する移動体の移動体識別子を取得する。移動体識別子取得部２０１は、例えば、移動体のナンバープレートを撮影し、画像認識することにより移動体識別子を取得しても良い。また、移動体識別子取得部２０１は、例えば、無線通信手段により、移動体に設置された装置から移動体識別子を受信しても良い。なお、移動体識別子は、ナンバープレートの番号、クレジットカード番号等でも良い。なお、移動体識別子取得部２０１は、駐車場に入庫、または出庫する移動体を認識しても良い。
【０１００】
時刻取得部２０２は、移動体が入庫した時刻に関する入庫時刻情報を取得する。時刻取得部２０２は、移動体が出庫した時刻に関する出庫時刻情報を取得する。時刻取得部２０２は、時計でも良いし、図示しないサーバ装置から現在時刻を受信する受信手段でも良い。時刻取得部２０２は、駐車場のゲート前に移動体が来たこと、またはゲートを開いたことを検知し、入庫することを示す入庫時刻情報、または出庫することを示す出庫時刻情報を取得しても良い。
【０１０１】
駐車情報送信部２０３は、移動体識別子取得部２０１が取得した移動体識別子を含む入庫情報、または出庫情報をサーバ装置２１に送信する。駐車情報送信部２０３は、移動体識別子取得部２０１が取得した移動体識別子と時刻取得部２０２が取得した入庫時刻情報とを含む入庫情報をサーバ装置２１に送信しても良い。駐車情報送信部２０３は、移動体識別子取得部２０１が取得した移動体識別子と時刻取得部２０２が取得した出庫時刻情報とを含む出庫情報をサーバ装置２１に送信しても良い。
【０１０２】
サーバ格納部２１１は、各種の情報を格納し得る。各種の情報は、例えば、後述するユーザ情報である。また、各種の情報は、例えば、料金情報である。
【０１０３】
料金情報格納部２１１１は、駐車場の利用の料金に関する情報である料金情報を格納し得る。
【０１０４】
ユーザ情報格納部２１１２は、１または２以上のユーザ情報を格納し得る。ユーザ情報は、ユーザに関する情報である。ユーザ情報は、ユーザの駐車に関する情報を含む。ユーザ情報は、例えば、駐車場に入庫した移動体を識別する移動体識別子と端末装置２２への通知先を示す通知先情報とを有する。ユーザ情報は、例えば、ユーザを識別するユーザ識別子、駐車料金の課金のためのクレジットカード番号、入庫時刻情報、出庫時刻情報等を有する。出庫時刻情報は、出庫時刻に関する情報であり、例えば、出庫した時刻を示す情報である。
【０１０５】
サーバ受信部２１２は、入庫情報を受信する。サーバ受信部２１２は、通常、移動体識別子と入庫時刻情報を有する入庫情報を受信する。ただし、受信される入庫情報は、移動体識別子だけでも良い。サーバ受信部２１２は、出庫情報を受信する。サーバ受信部２１２は、通常、移動体識別子と出庫時刻情報を有する出庫情報を受信する。ただし、受信される出庫情報は、移動体識別子だけでも良い。ここで、サーバ受信部２１２は、通常、駐車場に関連する装置である駐車場装置２０から入庫情報または出庫情報を受信する。
【０１０６】
サーバ処理部２１３は、各種の処理を行う。各種の処理とは、例えば、利用状況情報取得部１３１、通知先情報取得部２１３１が行う処理である。各種の処理とは、例えば、駐車料金を算出する処理である。また、各種の処理とは、例えば、駐車料金に応じた課金処理である。各種の処理とは、例えば、入庫したことを示す情報が受信された場合に、現在時刻を取得する処理である。なお、かかる現在時刻は、入庫時刻情報を構成する。また、各種の処理とは、例えば、出庫したことを示す情報が受信された場合に、現在時刻を取得する処理である。なお、かかる現在時刻は、出庫時刻情報を構成する。
【０１０７】
通知先情報取得部２１３１は、サーバ受信部２１２が受信した移動体識別子に対応する通知先情報をユーザ情報格納部２１１２から取得する。
【０１０８】
サーバ送信部２１４は、通知先情報取得部２１３１が取得した通知先情報に対応する端末装置２２に、利用状況情報取得部１３１が取得した利用状況情報を送信する。なお、利用状況情報は、例えば、料金上昇時刻情報、駐車料金等である。
【０１０９】
サーバ送信部２１４は、通知先情報取得部２１３１が取得した通知先情報に対応する端末装置２２に、警告情報を送信しても良い。
【０１１０】
また、サーバ送信部２１４は、端末装置２２に削除情報を送信しても良い。削除情報は、端末装置２２において、利用状況情報を削除させるための情報（命令と言っても良い。）である。
【０１１１】
端末装置２２を構成する格納部２２１は、各種の情報を格納し得る。各種の情報は、例えば、地図情報、利用状況情報等である。
【０１１２】
受信部２２２は、サーバ装置２１から利用状況情報を受信する。受信部２２２は、サーバ装置２１から警告情報を受信する。受信部２２２は、サーバ装置２１から削除情報を受信しても良い。
【０１１３】
処理部２２３は、各種の処理を行う。各種の処理とは、例えば、利用状況情報を格納部２２１に蓄積する処理である。各種の処理とは、例えば、受信された削除情報に応じて、利用状況情報を格納部２２１から削除する処理である。
【０１１４】
出力部２２４は、受信部２２２が受信した利用状況情報を出力する。また、出力部２２４は、受信部２２２が受信した警告情報を出力しても良い。
【０１１５】
サーバ格納部２１１、料金情報格納部２１１１、ユーザ情報格納部２１１２、格納部２２１は、不揮発性の記録媒体が好適であるが、揮発性の記録媒体でも実現可能である。
【０１１６】
サーバ格納部２１１等に情報が記憶される過程は問わない。例えば、記録媒体を介して情報がサーバ格納部２１１等で記憶されるようになってもよく、通信回線等を介して送信された情報がサーバ格納部２１１等で記憶されるようになってもよく、あるいは、入力デバイスを介して入力された情報がサーバ格納部２１１等で記憶されるようになってもよい。
【０１１７】
サーバ受信部２１２、受信部２２２は、通常、無線または有線の通信手段で実現されるが、放送を受信する手段で実現されても良い。
【０１１８】
移動体識別子取得部２０１、サーバ処理部２１３、通知先情報取得部２１３１は、通常、ＭＰＵやメモリ等から実現され得る。サーバ処理部２１３等の処理手順は、通常、ソフトウェアで実現され、当該ソフトウェアはＲＯＭ等の記録媒体に記録されている。但し、ハードウェア（専用回路）で実現しても良い。
【０１１９】
サーバ送信部２１４、駐車情報送信部２０３は、通常、無線または有線の通信手段で実現されるが、放送手段で実現されても良い。
【０１２０】
出力部２２４は、ディスプレイやスピーカー等の出力デバイスを含むと考え出力部２２４は、受信部２２２が受信したても含まないと考えても良い。出力部２２４は、出力デバイスのドライバーソフトまたは、出力デバイスのドライバーソフトと出力デバイス等で実現され得る。
【０１２１】
次に、情報システム２の動作について説明する。まず、駐車場装置２０の動作について、図８のフローチャートを用いて説明する。
【０１２２】
（ステップＳ８０１）移動体識別子取得部２０１は、入庫する移動体を認識したか否かを判断する。移動体を認識した場合はステップＳ８０２に行き、移動体を認識しない場合はステップＳ８０５に行く。なお、入庫する移動体は、入庫した移動体でも良い。
【０１２３】
（ステップＳ８０２）移動体識別子取得部２０１は、駐車場に入庫する移動体の移動体識別子を取得する。
【０１２４】
（ステップＳ８０３）駐車情報送信部２０３は、ステップＳ８０２で取得された移動体識別子を含む入庫情報を構成する。なお、通常、時刻取得部２０２は、移動体が入庫する時刻に関する入庫時刻情報を取得する。そして、通常、駐車情報送信部２０３は、移動体識別子と入庫時刻情報とを有する入庫情報を構成する。ただし、入庫情報は、移動体識別子だけでも良い。
【０１２５】
（ステップＳ８０４）駐車情報送信部２０３は、ステップＳ８０３で構成した入庫情報をサーバ装置２１に送信する。
【０１２６】
（ステップＳ８０５）移動体識別子取得部２０１は、出庫する移動体を認識したか否かを判断する。移動体を認識した場合はステップＳ８０６に行き、移動体を認識しない場合はステップＳ８０１に戻る。なお、出庫する移動体は、出庫した移動体でも良い。
【０１２７】
（ステップＳ８０６）移動体識別子取得部２０１は、駐車場に出庫する移動体の移動体識別子を取得する。
【０１２８】
（ステップＳ８０７）駐車情報送信部２０３は、ステップＳ８０２で取得された移動体識別子を含む出庫情報を構成する。なお、通常、時刻取得部２０２は、移動体が出庫する時刻に関する出庫時刻情報を取得する。そして、通常、駐車情報送信部２０３は、移動体識別子と出庫時刻情報とを有する出庫情報を構成する。ただし、出庫情報は、移動体識別子だけでも良い。
【０１２９】
（ステップＳ８０８）駐車情報送信部２０３は、ステップＳ８０７で構成した出庫情報をサーバ装置２１に送信する。ステップＳ８０１に戻る。
【０１３０】
なお、図８のフローチャートにおいて、電源オフや処理終了の割り込みにより処理は終了する。
【０１３１】
次に、サーバ装置２１の動作について、図９のフローチャートを用いて説明する。
【０１３２】
（ステップＳ９０１）サーバ受信部２１２は、駐車場装置２０から入庫情報を受信したか否かを判断する。入庫情報を受信した場合はステップＳ９０２に行き、入庫情報を受信しない場合はステップＳ９０３に行く。
【０１３３】
（ステップＳ９０２）サーバ処理部２１３は、ステップＳ９０１で受信された入庫情報の一部または全部をユーザ情報格納部２１１２に蓄積する。なお、入庫情報の一部とは、例えば、入庫情報を構成する入庫時刻情報である。サーバ処理部２１３は、例えば、入庫情報が有する移動体識別子に対応付けて、入庫情報が有する入庫時刻情報を蓄積する。また、サーバ処理部２１３は、例えば、図示しない時計または装置等から現在時刻を取得し、入庫情報が有する移動体識別子に対応付けて、当該現在時刻を蓄積する。なお、この現在時刻は、入庫時刻情報を構成する。ステップＳ９０１に戻る。
【０１３４】
（ステップＳ９０３）サーバ受信部２１２は、駐車場装置２０から出庫情報を受信したか否かを判断する。出庫情報を受信した場合はステップＳ９０４に行き、出庫情報を受信しない場合はステップＳ９０９に行く。
【０１３５】
（ステップＳ９０４）サーバ処理部２１３は、出庫情報と当該出庫情報に対応する入庫情報とを用いて、駐車料金を算出する。サーバ処理部２１３は、例えば、以下のように駐車料金を算出する。まず、サーバ処理部２１３は、出庫情報が有する移動体識別子を取得する。そして、サーバ処理部２１３は、当該移動体識別子と対になる入庫時刻情報をユーザ情報格納部２１１２から取得する。次に、サーバ処理部２１３は、出庫情報が有する出庫時刻情報、または現在時刻である出庫時刻情報を取得する。そして、サーバ処理部２１３は、出庫時刻情報と入庫時刻情報との差異である駐車時間を算出する。次に、サーバ処理部２１３は、駐車時間を、料金情報格納部２１１１の料金情報に適用し、料金を取得する。なお、かかる駐車時間を料金情報に適用し、料金を取得する処理は公知技術であるので詳細な説明を省略する。
【０１３６】
（ステップＳ９０５）サーバ処理部２１３は、ステップＳ９０４で取得した料金を用いて課金処理を行う。例えば、サーバ処理部２１３は、出庫情報が有する移動体識別子と対になるクレジットカード番号をユーザ情報格納部２１１２から取得する。そして、サーバ処理部２１３は、クレジットカード番号とステップＳ９０４で取得した料金とを用いて、課金処理を行う。かかる課金処理も公知技術であるので、詳細な説明を省略する。
【０１３７】
（ステップＳ９０６）サーバ処理部２１３は、出庫情報に対応する入庫情報を、ユーザ情報格納部２１１２から削除する。なお、サーバ処理部２１３は、かかる削除処理を行わなくても良い。
【０１３８】
（ステップＳ９０７）通知先情報取得部２１３１は、サーバ受信部２１２が受信した出庫情報が有する移動体識別子に対応する通知先情報をユーザ情報格納部２１１２から取得する。
【０１３９】
（ステップＳ９０８）サーバ送信部２１４は、ステップＳ９０７で取得された通知先情報が示す通知先に、削除情報を送信する。ステップＳ９０１に戻る。なお、削除情報とは、入庫情報が削除された旨を示す情報である。また、削除情報は、駐車場の利用が終了したことを示す情報等でも良い。ステップＳ９０１に戻る。
【０１４０】
（ステップＳ９０９）サーバ処理部２１３は、カウンタｉに１を代入する。
【０１４１】
（ステップＳ９１０）サーバ処理部２１３は、ユーザ情報格納部２１１２に、ｉ番目の入庫情報が存在するか否かを判断する。ｉ番目の入庫情報が存在する場合はステップＳ９１１に行き、ｉ番目の入庫情報が存在しない場合はステップＳ９０１に戻る。
【０１４２】
（ステップＳ９１１）利用状況情報取得部１３１は、利用状況情報を取得する。利用状況情報取得について、図３のフローチャートを用いて説明した。
【０１４３】
（ステップＳ９１２）サーバ処理部２１３は、ステップＳ９１１で取得した利用状況情報を送信するか否かを判断する。送信すると判断した場合はステップＳ９１３に行き、送信しないと判断した場合はステップＳ９１５に行く。なお、例えば、サーバ処理部２１３は、ステップＳ９１２で直前に取得した利用状況情報が有する予め決められた情報（例えば、料金）と、直前より一つ前に取得した利用状況情報が有する予め決められた情報（例えば、料金）とが異なる場合に、利用状況情報を送信すると判断する。
【０１４４】
（ステップＳ９１３）通知先情報取得部２１３１は、ｉ番目の入庫情報に対応する移動体識別子に対応する通知先情報をユーザ情報格納部２１１２から取得する。
【０１４５】
（ステップＳ９１４）サーバ送信部２１４は、ステップＳ９１３で取得された通知先情報に対応する端末装置２２に、ステップＳ９１１で取得された利用状況情報を送信する。
【０１４６】
（ステップＳ９１５）判断部１３２は、ステップＳ９１１で取得された利用状況情報が、予め格納されている警告条件に合致するか否かを判断する。警告条件に合致する場合はステップＳ９１６に行き、警告条件に合致しない場合はステップＳ９０１に戻る。
【０１４７】
（ステップＳ９１６）通知先情報取得部２１３１は、ｉ番目の入庫情報に対応する移動体識別子に対応する通知先情報をユーザ情報格納部２１１２から取得する。なお、ステップＳ９１３で通知先情報が取得された場合は、本ステップは省略されることは好適である。
【０１４８】
（ステップＳ９１７）サーバ送信部２１４は、通知先情報取得部２１３１が」取得した通知先情報が示す端末装置２２に警告情報を送信する。ステップＳ９０１に戻る。なお、警告情報は、例えば、もうすぐ（例えば、５分後）に駐車料金がアップすることを示す情報である。
【０１４９】
なお、図９のフローチャートにおいて、電源オフや処理終了の割り込みにより処理は終了する。
【０１５０】
次に、端末装置２２の動作について、図１０のフローチャートを用いて説明する。
【０１５１】
（ステップＳ１００１）受信部２２２は、サーバ装置２１から利用状況情報を受信したか否かを判断する。利用状況情報を受信した場合はステップＳ１００２に行き、利用状況情報を受信しない場合はステップＳ１００４に行く。
【０１５２】
（ステップＳ１００２）処理部２２３は、ステップＳ１００１で受信された利用状況情報を格納部２２１に蓄積する。
【０１５３】
（ステップＳ１００３）出力部２２４は、ステップＳ１００１で受信された利用状況情報を出力する。ステップＳ１００１に戻る。
【０１５４】
（ステップＳ１００４）受信部２２２は、サーバ装置２１から警告情報を受信したか否かを判断する。警告情報を受信すればステップＳ１００５に行き、警告情報を受信しなければステップＳ１００６に行く。
【０１５５】
（ステップＳ１００５）出力部２２４は、ステップＳ１００４で受信され警告情報を出力する。ステップＳ１００１に戻る。
【０１５６】
（ステップＳ１００６）受信部２２２は、サーバ装置２１から削除情報を受信したか否かを判断する。削除情報を受信すればステップＳ１００７に行き、削除情報を受信しなければステップＳ１００８に行く。
【０１５７】
（ステップＳ１００７）処理部２２３は、利用状況情報を格納部２２１から削除する。ステップＳ１００１に戻る。
【０１５８】
（ステップＳ１００８）処理部２２３は、格納部２２１に利用状況情報が存在するか否かを判断する。利用状況情報が存在する場合はステップＳ１００９に行き、利用状況情報が存在しない場合はステップＳ１００１に戻る。
【０１５９】
（ステップＳ１００９）処理部２２３は、利用状況情報が有する駐車時間の情報をカウントアップする。なお、処理部２２３は、例えば、図示しないタイマーまたは時計を保持している、とする。また、処理部２２３は、例えば、時刻を図示しない装置から受信しても良い。
【０１６０】
（ステップＳ１０１０）出力部２２４は、カウントアップした駐車時間を有する利用状況情報を出力する。ステップＳ１００１に戻る。
【０１６１】
なお、図１０のフローチャートにおいて、電源オフや処理終了の割り込みにより処理は終了する。
【０１６２】
以下、本実施の形態における情報システム２の具体的な動作について説明する。
情報システム２の概念図は図６である。
【０１６３】
今、料金情報格納部２１１１は、図４に示す料金情報を格納している、とする。また、サーバ格納部２１１は、警告条件「料金がアップする５分前」を格納している、とする。
【０１６４】
また、ユーザ情報格納部２１１２は、図１１に示すユーザ情報管理表を保持している、とする。ユーザ情報管理表は、「ＩＤ」「ユーザ識別子」「移動体識別子」「クレジットカード番号」「通知先情報」「駐車情報」を有するレコードを１以上格納している。「駐車情報」は、「入庫時刻」「出庫時刻」を有する。なお、例えば、ユーザが駐車場を使用していない場合、「入庫時刻」「出庫時刻」はＮＵＬＬである、とする。
【０１６５】
かかる状況において、ユーザが乗った自動車が駐車場「タイムズ赤坂台２３」に入庫した、とする。すると、入庫時に通過するゲート前に設置された駐車場装置２０の移動体識別子取得部２０１は、入庫する移動体を認識する。そして、移動体識別子取得部２０１は、駐車場に入庫する移動体の移動体識別子「品川５５  １２３−１１１１」を取得した、とする。
【０１６６】
次に、時刻取得部２０２は、移動体が入庫する時刻に関する入庫時刻情報「３：２７：００」を取得する。なお、ここでの入庫時刻情報は、通常、現在時刻である。
【０１６７】
次に、駐車情報送信部２０３は、取得された移動体識別子「品川５５  １２３−１１１１」と入庫時刻情報「３：２７：００」とを含む入庫情報を構成する。ここでは、入庫情報は、「＜移動体識別子＞品川５５  １２３−１１１１，＜入庫時刻情報＞３：２７：００」である。
【０１６８】
そして、駐車情報送信部２０３は、構成された入庫情報「＜移動体識別子＞品川５５  １２３−１１１１，＜入庫時刻情報＞３：２７：００」をサーバ装置２１に送信する。
【０１６９】
次に、サーバ装置２１のサーバ受信部２１２は、入庫情報を受信する。そして、サーバ処理部２１３は、受信された入庫情報の「＜移動体識別子＞品川５５  １２３−１１１１」に対応する、図１１のユーザ情報管理表の「ＩＤ＝１」のレコードの入庫時刻の属性値に「３：２７：００」を蓄積する。
【０１７０】
そして、以後、サーバ装置２１において、駐車時間のカウントアップが行われる。例えば、現在時刻「４：２１：３４」になった場合に、利用状況情報取得部１３１は、以下のように利用状況情報を取得する。
【０１７１】
まず、現在時刻取得手段１３１１は、現在時刻「４：２１：３４」を取得した、とする。
【０１７２】
次に、現利用時間情報取得手段１３１２は、現在時刻「４：２１：３４」と入庫時刻情報「３：２７：００」との差である現利用時間情報「５４分２６秒」を取得する。
【０１７３】
次に、利用状況情報取得手段１３１３は、現利用時間情報「５４分２６秒」を図４の料金情報に適用し、現在の料金「５００円」を取得する。
【０１７４】
次に、利用状況情報取得手段１３１３は、現利用時間情報「５４分２６秒」と次の料金になるまでの時間「６０分」とを用いて、次の料金アップまでの時間（例えば、第一の料金上昇時刻情報という。）「５分３４秒」を取得する。
【０１７５】
次に、利用状況情報取得手段１３１３は、現在時刻と次の料金アップまでの時間とを用いて、次の料金アップの時刻（例えば、第二の料金上昇時刻情報という。）「４：２７：００」を取得する。
【０１７６】
次に、利用状況情報取得手段１３１３は、利用状況情報「＜現利用時間情報＞５４分２６秒，＜料金＞５００円，＜次の料金アップまでの時間＞５分３４秒，＜料金アップの時刻＞４：２７：００」を構成する、とする。
【０１７７】
次に、サーバ処理部２１３は、取得した利用状況情報を送信する、と判断した、とする。なお、前回の送信時から、予め決められた時間以上（例えば、３０秒）、経過している場合に、サーバ処理部２１３は、利用状況情報を送信する、と判断する、とする。
【０１７８】
次に、通知先情報取得部２１３１は、移動体識別子「品川５５  １２３−１１１１」に対応する通知先情報「ａｂ＠ｘ．ｃｏｍ」をユーザ情報管理表（図１１）から取得する。
【０１７９】
次に、サーバ送信部２１４は、取得された通知先情報「ａｂ＠ｘ．ｃｏｍ」に対応する端末装置２２に、取得された利用状況情報を送信する。
【０１８０】
次に、端末装置２２の受信部２２２は、サーバ装置２１から利用状況情報「＜現利用時間情報＞５４分２６秒，＜料金＞５００円，＜次の料金アップまでの時間＞５分３４秒，＜料金アップの時刻＞４：２７：００」を受信する。
【０１８１】
次に、処理部２２３は、受信された利用状況情報「＜現利用時間情報＞５４分２６秒，＜料金＞５００円，＜次の料金アップまでの時間＞５分３４秒，＜料金アップの時刻＞４：２７：００」を格納部２２１に蓄積する。
【０１８２】
次に、出力部２２４は、ステップＳ１００１で受信された利用状況情報を出力する。かかる出力例は、例えば、図５である。
【０１８３】
次に、サーバ装置２１の判断部１３２は、取得された利用状況情報を構成する「＜次の料金アップまでの時間＞５分３４秒」が、予め格納されている警告条件「料金がアップする５分前」に合致しない、と判断する。
【０１８４】
そして、サーバ装置２１から、警告情報は端末装置２２に送信されない。また、端末装置２２の受信部２２２は、サーバ装置２１から警告情報を受信しない、と判断する。
【０１８５】
そして、現在時刻が「４：２２：００」になった際に、サーバ装置２１、および端末装置２２は以下にように動作する。
【０１８６】
まず、サーバ装置２１の現在時刻取得手段１３１１は、現在時刻「４：２２：００」を取得した、とする。
【０１８７】
次に、現利用時間情報取得手段１３１２は、現在時刻「４：２２：００」と入庫時刻情報「３：２７：００」との差である現利用時間情報「５５分００秒」を取得する。
【０１８８】
次に、利用状況情報取得手段１３１３は、現利用時間情報「５５分２６秒」を図４の料金情報に適用し、現在の料金「５００円」を取得する。
【０１８９】
次に、利用状況情報取得手段１３１３は、現利用時間情報「５５分００秒」と次の料金になるまでの時間「６０分」とを用いて、次の料金アップまでの時間「５分００秒」を取得する。
【０１９０】
次に、利用状況情報取得手段１３１３は、現在時刻と次の料金アップまでの時間とを用いて、次の料金アップの時刻「４：２７：００」を取得する。
【０１９１】
次に、利用状況情報取得手段１３１３は、図４の表からアップ金額「１００円」を取得する。
【０１９２】
次に、利用状況情報取得手段１３１３は、利用状況情報「＜現利用時間情報＞５５分００秒，＜料金＞５００円，＜次の料金アップまでの時間＞５分００秒，＜料金アップの時刻＞４：２７：００，＜アップ金額＞１００円」を構成する、とする。
【０１９３】
次に、サーバ処理部２１３は、取得した利用状況情報を送信する、と判断する。なお、前回の送信時から、予め決められた時間以上（例えば、３０秒）、経過しているので、サーバ処理部２１３は、利用状況情報を送信する、と判断した。
【０１９４】
次に、通知先情報取得部２１３１は、移動体識別子「品川５５  １２３−１１１１」に対応する通知先情報「ａｂ＠ｘ．ｃｏｍ」をユーザ情報管理表（図１１）から取得する。
【０１９５】
次に、サーバ送信部２１４は、取得された通知先情報「ａｂ＠ｘ．ｃｏｍ」に対応する端末装置２２に、取得された利用状況情報を送信する。
【０１９６】
次に、サーバ装置２１の判断部１３２は、取得された利用状況情報を構成する「＜次の料金アップまでの時間＞５分００秒」が、予め格納されている警告条件「料金がアップする５分前」に合致する、と判断する。
【０１９７】
次に、サーバ送信部２１４は、通知先情報取得部２１３１が取得した通知先情報「ａｂ＠ｘ．ｃｏｍ」が示す端末装置２２に警告情報を送信する。ここで、警告情報は、例えば、「あと５分で、駐車料金が１００円アップします。」という音声情報である、とする。なお、サーバ送信部２１４は、格納されている警告情報の雛形「あと＜時間＞分で、駐車料金が＜金額＞アップします。」に、警告条件「料金がアップする５分前」の「５分」、および利用状況情報を構成するアップ金額「１００円」を代入し、警告情報を構成する。
【０１９８】
次に、端末装置２２の受信部２２２は、サーバ装置２１から利用状況情報「＜現利用時間情報＞５５分００秒，＜料金＞５００円，＜次の料金アップまでの時間＞５分００秒，＜料金アップの時刻＞４：２７：００，＜アップ金額＞１００円」を受信する。
【０１９９】
次に、処理部２２３は、受信された利用状況情報「＜現利用時間情報＞５５分００秒，＜料金＞５００円，＜次の料金アップまでの時間＞５分００秒，＜料金アップの時刻＞４：２７：００，＜アップ金額＞１００円」を格納部２２１に蓄積する。
【０２００】
次に、出力部２２４は、受信された利用状況情報を出力する。そして、出力部２２４は、例えば、利用状況情報が有する駐車時間、現在時刻等は、カウントアップされて、常時、出力する
【０２０１】
次に、受信部２２２は、サーバ装置２１から警告情報を受信する。そして、出力部２２４は、受信され警告情報「あと５分で、駐車料金が１００円アップします。」を音声出力する。
【０２０２】
次に、ユーザは、慌てて駐車場に戻り、出庫のために、自動車を駐車場のゲートまで運転した、とする。
【０２０３】
次に、駐車場装置２０の移動体識別子取得部２０１は、出庫する自動車を認識する。そして、移動体識別子取得部２０１は、駐車場に出庫する自動車の移動体識別子「品川５５  １２３−１１１１」を取得する。
【０２０４】
次に、時刻取得部２０２は、移動体が出庫する時刻に関する出庫時刻情報「４：２６：００」を取得する。そして、駐車情報送信部２０３は、移動体識別子「品川５５  １２３−１１１１」と出庫時刻情報「４：２６：００」と出庫情報「＜移動体識別子＞品川５５  １２３−１１１１，＜出庫時刻情報＞４：２６：００」を構成する。
【０２０５】
次に、駐車情報送信部２０３は、当該出庫情報「＜移動体識別子＞品川５５  １２３−１１１１，＜出庫時刻情報＞４：２６：００」をサーバ装置２１に送信する。
【０２０６】
次に、サーバ装置２１のサーバ受信部２１２は、出庫情報を受信する。
【０２０７】
次に、サーバ処理部２１３は、出庫情報が有する「＜出庫時刻情報＞４：２６：００」と、移動体識別子「品川５５  １２３−１１１１」と対になる入庫時刻「３：２７：００」とを用いて、駐車時間「５９分」を算出する。そして、サーバ処理部２１３は、駐車時間「５９分」を図４の料金表に適用し、駐車料金「５００円」を得る。
【０２０８】
次に、サーバ処理部２１３は、取得した料金「５００円」を用いて課金処理を行う。つまり、サーバ処理部２１３は、移動体識別子「品川５５  １２３−１１１１」と対になるクレジットカード番号「ＸＸＸＸＸＸＸ」を取得する。そして、サーバ処理部２１３は、当該クレジットカード番号で識別されるクレジットカードに対して、料金「５００円」を課金する処理を行う。かかる課金処理は公知技術であるので、説明を省略する。
【０２０９】
次に、サーバ処理部２１３は、移動体識別子「品川５５  １２３−１１１１」と対になる入庫時刻および出庫時刻を、ユーザ情報管理表（図１１）から削除する。
【０２１０】
次に、通知先情報取得部２１３１は、移動体識別子「品川５５  １２３−１１１１」と対になる通知先情報「ａｂ＠ｘ．ｃｏｍ」をユーザ情報管理表（図１１）から取得する。
【０２１１】
次に、サーバ送信部２１４は、取得された通知先情報「ａｂ＠ｘ．ｃｏｍ」が示す端末装置２２に、削除情報を送信する。
【０２１２】
次に、端末装置２２の受信部２２２は、サーバ装置２１から削除情報を受信する。そして、処理部２２３は、利用状況情報を格納部２２１から削除する。
【０２１３】
以上、本実施の形態によれば、駐車場に移動体を駐車した後、駐車場から離れた場所において、ユーザが駐車場の利用状況を知ることができる。
【０２１４】
また、本実施の形態によれば、駐車場に移動体を駐車した後、駐車場から離れた場所において、駐車場の利用料金がアップする時刻を、ユーザは知ることができる。
【０２１５】
また、本実施の形態によれば、駐車場に移動体を駐車した後、駐車場から離れた場所において、駐車場の利用料金がアップするまでの残り時間を、ユーザは知ることができる。
【０２１６】
なお、さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置２１を実現するソフトウェアは、以下のようなプログラムである。つまり、このプログラムは、コンピュータがアクセス可能な記録媒体は、駐車場に入場した移動体を識別する移動体識別子と端末装置への通知先を示す通知先情報とを有する２以上のユーザ情報を格納し得るユーザ情報格納部を具備し、コンピュータを、移動体識別子と駐車場に入場した時の時刻に関する入場時刻情報とを受信するサーバ受信部と、前記入場時刻情報を用いて、駐車場の利用状況に関する利用状況情報を取得する利用状況情報取得部と、前記サーバ受信部が受信した移動体識別子に対応する通知先情報を前記ユーザ情報格納部から取得する通知先情報取得部と、前記通知先情報取得部が取得した通知先情報に対応する端末装置に、前記利用状況情報を送信するサーバ送信部として機能させるためのプログラムである。
【０２１７】
上記プログラムにおいて、前記記録媒体は、駐車場の利用の料金に関する情報である料金情報を格納し得る料金情報格納部をさらに具備し、前記利用状況情報取得部は、前記料金情報を用いて、料金が上昇する時刻に関する情報である料金上昇時刻情報を取得し、前記サーバ送信部は、前記料金上昇時刻情報を端末装置に送信するものとして、コンピュータを機能させることは好適である。
【０２１８】
上記プログラムにおいて、前記利用状況情報取得部は、前記料金情報と前記入場時刻情報とを用いて、料金が上昇する時刻までの残り時間である料金上昇時刻情報を取得するものとして、コンピュータを機能させることは好適である。
【０２１９】
上記プログラムにおいて、前記料金情報は、利用時間と料金とを有し、前記利用状況情報取得部は、現在時刻を取得する現在時刻取得手段と、前記現在時刻と前記時刻情報との差である現利用時間情報を取得する現利用時間情報取得手段と、前記現利用時間情報と前記料金情報とを用いて、利用状況情報を取得する利用状況情報取得手段とを具備するものとして、コンピュータを機能させることは好適である。
【０２２０】
また、図１２は、本明細書で述べたプログラムを実行して、上述した種々の実施の形態の端末装置等を実現するコンピュータの外観を示す。上述の実施の形態は、コンピュータハードウェア及びその上で実行されるコンピュータプログラムで実現され得る。図１２は、このコンピュータシステム３００の概観図であり、図１３、システム３００のブロック図である。
【０２２１】
図１２において、コンピュータシステム３００は、ＣＤ−ＲＯＭドライブを含むコンピュータ３０１と、キーボード３０２と、マウス３０３と、モニタ３０４とを含む。
【０２２２】
図１３において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２２３】
コンピュータシステム３００に、上述した実施の形態の端末装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２２４】
プログラムは、コンピュータ３０１に、上述した実施の形態の端末装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２２５】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２２６】
また、上記プログラムを実行するコンピュータは、単数であってもよく、複数であってもよい。すなわち、集中処理を行ってもよく、あるいは分散処理を行ってもよい。
【０２２７】
また、上記各実施の形態において、一の装置に存在する２以上の通信手段は、物理的に一の媒体で実現されても良いことは言うまでもない。
【０２２８】
また、上記各実施の形態において、各処理は、単一の装置によって集中処理されることによって実現されてもよく、あるいは、複数の装置によって分散処理されることによって実現されてもよい。
【０２２９】
本発明は、以上の実施の形態に限定されることなく、種々の変更が可能であり、それらも本発明の範囲内に包含されるものであることは言うまでもない。
【産業上の利用可能性】
【０２３０】
以上のように、本発明にかかる端末装置は、駐車場に移動体を駐車した後、駐車場から離れた場所において、ユーザが駐車場の利用状況を知ることができる、という効果を有し、端末装置等として有用である。
【符号の説明】
【０２３１】
１、２２  端末装置
２  情報システム
１０、２２１  格納部
１１  受付部
１２、２２２  受信部
１３、２２３  処理部
１４、２２４  出力部
２０  駐車場装置
２１  サーバ装置
１３１  利用状況情報取得部
１３２  判断部
２０１  移動体識別子取得部
２０２  時刻取得部
２０３  駐車情報送信部
２１１  サーバ格納部
２１２  サーバ受信部
２１３  サーバ処理部
２１４  サーバ送信部
１３１１  現在時刻取得手段
１３１２  現利用時間情報取得手段
１３１３  利用状況情報取得手段
２１１１  料金情報格納部
２１１２  ユーザ情報格納部
２１３１  通知先情報取得部
【図１】
0006454174.tif 000002
【図２】
0006454174.tif 000003
【図３】
0006454174.tif 000004
【図４】
0006454174.tif 000005
【図５】
0006454174.tif 000006
【図６】
0006454174.tif 000007
【図７】
0006454174.tif 000008
【図８】
0006454174.tif 000009
【図９】
0006454174.tif 000010
【図１０】
0006454174.tif 000011
【図１１】
0006454174.tif 000012
【図１２】
0006454174.tif 000013
【図１３】
0006454174.tif 000014